(57)【特許請求の範囲】
【請求項１】
リム（７）と時計のケース（１）との間の連結装置であって、前記連結装置は、円錐形状面（６ａ）と、前記円錐形状面（６ａ）に隣接する筒状座部（６ｂ）と、前記筒状座部（６ｂ）に隣接した第一軸線方向保持肩部（６ｃ）とを有し、かつ前記ケース（１）に留められた締め付け襟部（６）と、前記リム（７）に留められた環状溝部（７ａ）の一方の面によって形成されている、反対の第二軸線方向保持肩部（７ａ１）と、２つの前記肩部（６ｃ、７ａ１）の各々に当接している、ポリマー製の環状保持要素（９）とを備え、前記第一肩部（６ｃ）は、円錐形状面（６ａ）の基部に隣接しており、かつ前記環状溝部（７ａ）と係合させた前記環状保持要素（９）を軸線方向に導入するように前記ケース（１）に留められており、前記環状保持要素（９）により、前記環状保持要素（９）の抵抗力よりも大きな力が前記リム（７）に加えられる時、前記リムを取り外すことができ、前記環状保持要素（９）は、エンドレスリングを形成しており、このエンドレスリングの断面は、半径方向に２つの矩形断面部分（９ａ、９ｂ）に分割されており、前記２つの矩形断面部分の一方は、他方に対して前記時計のケースの半径方向において外側に配置されており、かつ前記時計のケースの軸線方向において他方よりも実質的に薄く、これらの２つの矩形断面部分（９ａ、９ｂ）の他方が前記第一肩部（６ｃ）に相互作用し、かつこれらの２つの矩形断面部分（９ａ、９ｂ）の一方が前記第二肩部（７ａ１）と相互作用するように意図されており、
前記第一軸線方向保持肩部（６ｃ）の半径方向寸法は、前記リム（７）と、前記リム（７）を位置決めするための面を形成している、前記保持要素（９）の前記外側円周面（９ｃ）との間の直径方向クリアランスの１〜２倍にある、連結装置。
【請求項２】
前記第一軸線方向保持肩部（１６ｃ）は、前記リム（１７）を不動化するために、複数の円形扇形部と前記リム（１７）との間において、前記環状保持要素を圧縮するために、複数の円形扇形部を形成するように、等間隔の三つの角度方向セグメント（１６ｄ）の間に配置されている請求項１に記載の装置。
【請求項３】
摩擦要素（３０、３０ｂ、４０）が、前記リム（２７）を固定する位置で、前記ケース（２１）と前記リム（２７）の間に介挿されている請求項１に記載の装置。
【請求項４】
前記摩擦要素（３０、３０ｂ、４０）は圧縮可能な材料で作られている請求項３に記載の装置。
【請求項５】
前記環状保持要素（９）の前記外側円周面（９ｃ）は、前記リム（７）を位置決めするための面を形成している請求項１〜４のいずれか１項に記載の装置。
【請求項６】
前記リムは、一方が他方の内側に取り付けられている２つの部分（６７Ａ、６７Ｂ）を備え、前記２つの部分（６７Ａ、６７Ｂ）は、他方に関して一方を回転させることができる、案内要素（６７Ｂ１、６７Ａ２）を有し、前記２つの部分（６７Ａ、６７Ｂ）の一つは、前記環状保持要素（６９）によって前記時計ケース（１）に接続されている請求項１〜５のいずれか１項に記載の装置。
【請求項７】
前記リム（７）と前記時計のケース（１）の間に配置されている弾性手段（８ａ、３０、３０ｂ）は、前記環状保持要素（９、２９）に対して軸線方向圧力をかける請求項１、５又は６に記載の装置。
【請求項８】
前記軸線方向圧力は、転がり手段（８）を介してかけられる請求項７に記載の装置。
【請求項９】
前記環状保持要素（９）を形成しているポリマーの引張りの破断限界は、４０ＭＰａ〜１００ＭＰａである請求項１〜８のいずれか１項に記載の装置。
【請求項１０】
前記環状保持要素（９）を形成しているポリマーは、熱可塑性エラストマーである請求項１に記載の装置。
【請求項１１】
前記環状保持要素（９）を形成しているポリマーは、１４００ＭＰａ〜２５００ＭＰａのヤング率と、４５ＭＰａ〜６０ＭＰａの降伏強度とを有している請求項１〜１０のいずれか１項に記載の装置。
【発明の詳細な説明】
【技術分野】
【０００１】
本発明は、リムと時計のケースとの間の連結装置であって、連結装置は、筒状座部に隣接した、ケースに留められた第一軸線方向保持ボスと、リムに留められた環状溝部の一方の面によって形成されている、反対の第二軸線方向保持ボスと、２つのボスの各々に当接している、ポリマー製の環状保持要素とを備え、第一ボスは、円錐形状面の基部に隣接しており、かつ環状溝部と係合させた環状保持要素を軸線方向に導入するようにケースに留められており、環状保持要素により、リムの抵抗力よりも大きな力がリムに加えられる時、リムを取り外すことができる、連結装置に関する。
【背景技術】
【０００２】
この種の装置は、座金タイプのプラスチック製の分割型襟部によって回転リムが取り付けられており、文献ですでに提案されている（例えば、特許文献１参照。）。上記リムを取り付ける方法は、リムを取り外すために元へ戻せない場合、上記分割型襟部を剪断するのに適した引張りをこの分割型襟部にかける必要がある。この分割型襟部は、十分な軸線方向引張力がリムにかけられる時に破断しうるポリマーで作られている。分割型襟部が円錐形状導入面によって広げられた後、最初の形状に戻りうることを保証するように、この襟部は、好ましくは、比較的に高い弾性限界、又は、より一般的には、流動の開始に対応する降伏強度及び比較的に高い剪断強度を有するプラスチックで作られている。しかしながら、これらの条件が、リムとケースに傷を残す危険がある、高い力をリムにかけることを必要とする場合、これらの条件はリムの取り外しに好ましくない。さらに、このようなリムとケースの連結方法は、回転リムのみに適用される。
【０００３】
【特許文献１】欧州特許第７７０９３７号
【発明の開示】
【発明が解決しようとする課題】
【０００４】
本発明の目的は、前述の不利及び制限を少なくとも部分的に克服することである。
【０００５】
その結果、本発明の目的は、請求項１による、時計のリムとケースとの間の連結装置である。
【課題を解決するための手段】
【０００６】
本発明の主たる利点は、リングの形態であり、かつリングの断面が一方が他方よりも実質的に薄い２つの矩形部分を有する環状保持要素の使用である。リングの薄い断面部分は、リムが取り外される時に壊される必要がある。有利的には、エンドレスリングを製造するために使用されている材料は、熱可塑性エラストマーである。このようなリングは、また、リングの薄い部分のおかげで、ケース、リム又は２つの片に損傷を与える危険なく、数片を容易に組み付け、それらを良好に保持しかつそれらを容易に取り外すのに役立ちうる。
【０００７】
「クリッピング」によって固定する方法から、エンドレスリングを用いた方法への転換は、直観で考えられるのとは違って容易でない。特に、リムを確実に取り付け、リムが取り外される時に剪断されるように、リングの比較的に薄い部分は、その面の全体に、又は、その断面を参照すると、実際に半径方向長さ全体に、実際に当接しなければならない。このリングを備えたリムが所定位置に置かれた時、リングは、ケースに留められているその筒状座部の内径に対応する内径となることによって、後退する前に円錐形状面を通過してボスの下をつかみつつ広がらなければならない。この広がりの間、この広がりに実質的に対応している空間が、保持リングの比較的に大きな断面部分の外面と、リムの隣接面との間で作られなければならない。前述のように、この空間は、可能な限り小さくなければならない。
【０００８】
これは、また、保持リングを保持するボスと、その結果、リムは、非常に小さくなければならず、それはこのボスの縁部が鋭い場合のみ可能であるということを意味する。特に、このような状況でないならば、リムの取り付けは保証されないであろう。保持リングの比較的に薄い部分の外面とリムの隣接面との間の非常に小さなクリアランスから生じる利点は、このクリアランスがリムの心合わせを許容することである。
【０００９】
熱可塑性エラストマー製の保持リングは、さらに、回転リムが、弾性手段によって中間部から離れて保持リングの非筒状面によって保持されている時、回転リムを阻止する要素として役立つ利点をさらに有する。リムを阻止するのを助ける面の寸法を考えると、リムを開放するべくリムを回転させるために反対方向に手で軽く加圧される。
【００１０】
以下の記載から理解されるように、特に熱可塑性エラストマーなどの軟らかいポリマー製の保持リングの使用から生じる非常に重要な別の利点は、保持リングが座金の場合には、保持リングが回転リムの取り付けに制限されないことと、非回転リムを取り付けるのに適切に保持リングが使用されうることから生じる。
【００１１】
本発明の他の特徴及び利点は、本発明の目的である連結装置の助けによってそのリムが取り付けられている時計ケースのいくつかの実施例を略図的にかつ例示的に示している添付図面を参照して記載されている、以下の記載を読むと明らかになるであろう。
【発明を実施するための最良の形態】
【００１２】
図１に示す時計ケースは、基部２がシール３の介挿で螺着されている中間部１を備えている。ガラス部４は、ガラス部４及び中間部１の上部１ａの周りで延びている環状ガラスシール５によって、中間部１の上側開口部を覆って、シールされて取り付けられている。締め付け襟部６は、ガラス部４を中間部１にシールされて取り付けるように、環状ガラスシール５に求心圧力を与える機能を有する。
【００１３】
締め付け襟部６の外側面は、筒状面６ｂによって追従されている円錐形状面６ａを有し、この筒状面６ｂの直径は、隣接する円錐形状面６ａの基部の直径よりもわずかに小さく、２つの面６ａ、６ｂの間において、ボス（肩部）６ｃを形成している。
【００１４】
回転リム７は、軌道７ｂ内のばね８ａによって中間部１の軸線と平行な方向に押圧された複数のローラボール８によって、中間部１に取り付けられている。少なくとも３つのローラボール８が、ばねを有し、互いに等しい角度方向距離で分布されている。
【００１５】
このリム７と中間部１の間の連結装置は、ポリマー材料製の環状保持要素９を備え、この環状保持要素９の断面は、例えば矩形部の２つの部分９ａ、９ｂを各々を有している。部分９ａは環状保持要素９の内側にあり、その一方で、部分９ｂは環状保持要素９の外側にある。部分９ｂの厚さ、すなわち、環状保持要素９の平面に直角な寸法は、部分９ａの寸法よりも実質的に小さく、比較的に厚い内側部分９ａ周りで取付フランジ９ｂを形成している。好適には、取付フランジ９ｂは、内側環状部９ａの厚さの中心に位置する。
【００１６】
この取付フランジ９ｂは、リム７の環状溝部７ａ内に係合されており、その下側平坦環状面は、下側当接ボス（肩部）７ａ１を形成している、環状保持要素９の平面と直角な、環状溝部７ａの下側縁部と接触するようになる。環状保持要素９の比較的に厚い環状部９ａの上側環状平坦面は、上側当接ボスを形成されている、ガラスシール５の締め付け襟部のボス６ｃと接触している。
【００１７】
有利的には、環状保持要素９は、熱可塑性エラストマー（ＴＰＥ）で製造され、これは、特に、非常に高い精度の寸法で射出成形で製造しうるという利点を有する。このような材料は、リム７が所定位置に置かれる時、放射状に広がって最初の形状になるのに十分な弾性を有する。これは、とりわけ、低い弾性係数、低い引張強さ及び低い降伏強さを示す材料が必要である。これらの特性により、取付フランジ９ｂは、射出成形によって環状保持要素９を製造しうるのに十分な厚さとすることができ、その一方で、リム７が取り外される時にリム７さらには中間部１でさえ損傷させうる可能性がある、あまりにも大きな力をかける必要なく、取付フランジ９ｂを剪断することができる。環状保持要素９の製造に適したＴＰＥは、特にHytrel（登録商標）の商標の下で販売されている。
【００１８】
リム７を中間部１に取り付けるために、シール５を嵌められたガラス部４と締め付け襟部６を、中間部１の部分１ａに駆動することによって、処理が始まる。次いで、環状保持要素９、特に、その取付フランジ９ｂは、リム７の溝部７ａ内に挿入される。この組立体は、締め付け襟部６の円錐形状面６ａ周りに配置されている。この円錐形状面６ａの最も小さな直径は、環状保持要素９の内径にほぼ対応している。次いで、リム７及び保持リング９の組立体を図１に示す位置へもたらすように、軸線方向力をリム７にかける。
【００１９】
環状保持要素９が円錐形状面６ａに沿って移動する間、環状保持要素９は放射状に広がる。この特性により、環状保持要素９は、その最初の直径、締め付け襟部の面６ｂの直径が最初の直径よりもわずかに大きい場合には、このわずかに大きな直径となる。全ての場合において、環状保持要素９の内面は、締め付け襟部６の筒状面６ｂと緊密に接触しなければならず、ボス６ｃにより、環状保持要素９を軸線方向に不動にしている。この環状保持要素９の軸線方向の不動化は、リム７が取り外される時、この保持要素９がボス６ｃを越えるのを防ぐのに十分でなければならない。この場合では、リム７にかけられる軸線方向力は取付フランジ９ｂを剪断しなければならない。
【００２０】
この取付フランジ９ｂの剪断は、保持要素９の取付フランジ９ｂの下に位置する筒状外面９ｃと環状溝部７ａの下に位置するリム７の筒状内面との間の直径方向のクリアランスが、ボス６ｃの半径方向寸法の１〜２倍である場合のみ実現でき、これにより、これらの２つの隣接した筒状面の間の半径方向距離を、ボス６ｃの半径方向寸法の１／２〜１倍とする。
【００２１】
このボス６ｃの半径方向寸法は、以前に説明したように、保持要素９の不動を保証することができつつ可能な限り小さくなければならない。この小さな寸法が必要な理由は、２つである。１つの理由は、エンドレス環状保持要素９の使用が要求されるということである。もう１つの理由は、取付フランジ９ｂの良好な接触、それゆえ、リム７の良好な保持を保証してリム７が取り外される時に取付フランジ９ｂが剪断されうるように、環状保持要素９の外側筒状面９ｃとリム７の隣接筒状面との間に存在しなければならない小さなクリアランスが要求されるということである。環状保持要素９で使用される材料は、好ましくは、約１００分の２、３ｍｍの一定量の圧縮を許容する熱可塑性エラストマーであり、しかしながら、このエラストマーは、非常に弱い可能性がある。鋭い縁部がこのボス６ｃと円錐形状面６ａの間で保証されるという条件では、締め付け襟部のボス６ｃの半径方向寸法は、約０．１ｍｍとしなければならない。
【００２２】
以上から、保持要素９の筒状面９ｃとリム７の隣接した筒状面の間のクリアランスが小さい場合、これらの二つの筒状面は、有利的には、リム７のための案内として機能することができ、この案内は、座金タイプのアタッチメントでは可能でない。
【００２３】
これまで、環状保持要素９は、熱可塑性エラストマーが良好な化学的な耐性を示すので、有利的には熱可塑性エラストマーで作られており、リム７が所定位置に置かれる時に半径方向に拡張した後に、この環状保持要素９が、最初の形状及び直径に戻ることができ、このエラストマーは、取付フランジ９ｂを剪断するために、リム及び／又は中間部に損傷を与えがちな非常に大きな力を与える必要がなく、その一方で、取付フランジ９ｂに、射出成形による製造と両立可能な厚さを与え得るということを述べてきた。
【００２４】
しかしながら、他のポリマーを使用することもできる。例えば、ヤング率が１４００ＭＰａであり、降伏強度が４３ＭＰａであり引張強度が４５ＭＰａであるＤｅｌｒｉｎ（登録商標）１００ＳＴなどの、アセタール樹脂であるポリオキシメチレンＰＯＭを特に挙げることができる。また、例えば、ヤング率が１６００ＭＰａであり、降伏強度が３５ＭＰａであり引張強度が４０ＭＰａであるＣｒａｓｔｉｎ（登録商標）ＳＴ８２０などのポリブチレンテレフタラートＰＢＴも挙げることができる。
【００２５】
当然、他のポリマーもこの保持要素９の製造に適している。また、求めている特性に依存して、比較的に高い降伏強度又は引張強度を示すポリマーも選択することができる。また、選択した材料及び求めている特性に応じて、特に取付フランジ９ｂの厚さなどの寸法を変化させることもできる。
【００２６】
図２〜４に示す第二実施例は、連結装置が固定リムの取付のために使用されるという点で第一実施例と異なる。
【００２７】
この第二実施例と第一実施例の唯一の違いは、ガラスシール１５の締め付け襟部１６の外側筒状面１６ｃが、図２及び４に示すように、比較的に大きな半径の三つの扇形部１６ｄにわたって規則的に分布されている一定の角度方向距離で遮断されているという点である。しかしながら、これらの扇形部１６ｄは、円錐形状面１６ａと鈍角αを形成しており、好ましくは、これらの扇形部１６ｄ自体が円錐形状面１６ａの傾斜と逆のわずかな円錐傾斜を形成している。
【００２８】
この締め付け襟部１６の構造により、その三つの扇形部１６ｂのみがボス部１６ｃを依然として備えており、ボス部１６ｃは、扇形部１６ｄにおいて消えている。図３は、扇形部１６ｂ内に位置する保持要素１９を示している。図３では、保持要素１９は、ボス部１６ｃによって保持されており、リム１７は、先行する実施例のように、取付フランジ１９ｂによって保持されている。図２は、保持要素１９を半径方向に圧縮しつつ保持要素１９を拡大する、締め付け襟部１６の扇形部１６ｄを示している。一方の締め付け襟部１６と、他方のリムの環状溝部１７ａの基部との間における保持要素１９の圧縮により、リム１７は、回転方向に不動化される。それにより、本発明の連結装置を、固定されたリムの取り付けのためにも使用することができる。
【００２９】
図５に示す実施例は、さらに、固定されたリム２７の取り付けに関連している。このリム２７を不動化するために、高い摩擦係数の材料製の圧縮可能なシール３０は、リム２７と中間部２１との間で圧縮させられている。環状保持要素２９は、先行する実施例のように、ガラス部２４のシール２５の締め付け襟部２６のボス部２６ｃによって保持されている。この実施例の一つの利点は、リム２７が所定位置に置かれる時、シール３０は、環状保持要素２９が締め付け襟部２６のボス部２６ｃの下に降下するほどに圧縮させられうるという点である。リム２７への加圧が終わる時、シール３０は、保持要素２９をボス部２６ｃに対して押す。このシール３０の圧縮と、シール３０が製造されている高摩擦係数の材料により、リムは回転できない。
【００３０】
図６に示す変形例は、リムを不動化するために環状保持要素２９とシール３０を組み合わせ、異なる材料の２つの片２９ａ、３０ｂを備えた、一つの複合環状ユニットＡＢにすることのみで、図５の実施例とは異なる。これらの片２９ａ、３０ｂの各々は、保持要素２９、シール３０それぞれと同じ役割を持っている。
【００３１】
図７に示す変形例は、さらに、リムを不動化するための環状保持要素３９及び圧縮可能なシール４０を示している。しかしながら、この変形例では、シール４０は、図５及び６の場合のような軸線方向でなく、リム３７によって半径方向に圧縮されている。
【００３２】
図８は、ガラス部５４が中間部５１のフランジ部５１ａに嵌め込まれる、図１の参考例を示している。この参考例では、保持要素５９は、円錐形状面５１ｂの基部において、中間部５１の外側面に設けられたボス部５１ｃと直接的に係合するようになり、先行する実施例と同様に、保持要素５９に対する軸線方向の係止部として機能する。この参考例は、回転リム５７を示している。当然、特に図５〜７の中の１つに適した、固定されたリムの取り付けは、この参考例により実現されうる。
【００３３】
図９に示す最後の実施例は、２つの同心環状部内で一つのリムを備えており、これら２つの同心環状部は、一方が内側部６７Ａであり、他方が外側部６７Ｂであり、内側部６７Ａと外側部６７Ｂは、外側部６７Ｂに留められた、座金タイプの分割型弾性リング６７Ｂ1によって互いに接続されている。この弾性リング６７Ｂ1は、軸線方向保持ボスを形成しており、リムの内側部分６７Ａの表面６７Ａ2がリング６７Ｂ1に対して押圧し、外側部６７Ｂが、内側部６７Ａに関して回転できる。この実施例では、回動係止爪６８が、リムの内側部６７Ａの下側面に設けられた位置止め部６７Ａ1と係合する。また、他の不動化手段を回動爪６８と交換しうる。
【００３４】
この二つの部分からなるリムの内側部分６７Ａは、前述の実施例と同様に、環状保持要素６９によってケース中間部６１に接続されている。このリムの取り外しは、２つの部分６７Ａ、６７Ｂを取り外すことによって実現される。リムは、一方を他方に対して回転自由であるが、軸線方向に留められている。
【図面の簡単な説明】
【００３５】
【図１】第一実施例の装置を構成している時計ケースの直径方向断面における部分図である。
【図２】第一実施例の装置を構成している時計ケースの直径方向断面における第一の部分図である。
【図３】直径方向断面が角度方向に偏倚している、図２と同様な図である。
【図４】その周辺で連結装置が取り付けられた、中間部に留められた部分の平面図である。
【図５】第三実施例の装置を構成している時計ケースの直径方向断面における部分図である。
【図６】図５の２つの変形例の中の１つの極めて部分的な図である。
【図７】図５の２つの変形例の中の１つの極めて部分的な図である。
【図８】図１の参考例の部分的断面図である。
【図９】最後の実施例の装置を構成している時計ケースの直径方向断面における部分図である。
【００３６】
１    時計
６ｂ    筒状座部
６ｃ    第一軸線方向保持ボス
７ａ    環状溝部
７ａ１    第二軸線方向保持ボス
９    環状保持要素
９ａ    半径方向に分割された部分
９ｂ    半径方向に分割された部分
【図１】
0004689992.tif 000002
【図２】
0004689992.tif 000003
【図３】
0004689992.tif 000004
【図４】
0004689992.tif 000005
【図５】
0004689992.tif 000006
【図６】
0004689992.tif 000007
【図７】
0004689992.tif 000008
【図８】
0004689992.tif 000009
【図９】
0004689992.tif 000010